(57)【要約】【課題】本発明は、傾斜撮影を防止する上で撮影者にとって使い勝手のよいデジタルカメラを提供する。【解決手段】実施の形態のデジタルカメラ１０は、被写体の撮影時に、カメラ本体１２を被写体に向けて構え、その時に、ＣＰＵ３８は加速度センサ９２から出力される各センサ出力の振幅を比較することにより、カメラ本体１２が横撮りの姿勢であるのか、縦撮りの姿勢であるのかを判断する。そして、ＣＰＵ３８は、横撮りの姿勢であると判断した場合、加速度センサ９２よって検出された、その姿勢でのカメラ本体１２の傾斜角度が水平軸に対し±１°を超えると、液晶モニタ３０に縦線８８、８８、及び横線９０、９０からなる補助線画像を被写体像とともに表示させる。【選択図】      図４
2008028728.tif 000002
【特許請求の範囲】
【請求項１】
被写体のフレーミング用に取り込まれたスルー画像を表示する表示部と、
水平方向、又は鉛直方向に対するカメラ本体の傾斜角度を検出するセンサと、
前記センサによって検出された傾斜角度が第１の角度を超えた際に、前記表示部に縦線、及び／又は横線からなる補助線画像を被写体像とともに表示させる制御部と、
を前記カメラ本体に備えたことを特徴とするデジタルカメラ。
【請求項２】
前記制御部は、前記センサによって検出された傾斜角度に基づいて、前記カメラ本体が縦撮り姿勢であるのか、又は横撮り姿勢であるのかを判断し、判断した縦撮り姿勢、又は横撮り姿勢を基準として前記表示部に前記補助線画像を表示させることを特徴とする請求項１に記載のデジタルカメラ。
【請求項３】
前記センサは加速度センサであり、前記制御部は、前記加速度センサのＸ軸の出力値と該Ｘ軸に直交するＹ軸の出力値の大きさを比較することにより前記カメラ本体が縦撮り姿勢であるのか、又は横撮り姿勢であるのかを判断し、判断した縦撮り姿勢、又は横撮り姿勢を基準とした前記カメラ本体の傾斜角度が、前記第１の角度よりも大きい第２の角度を超えた際に、前記補助線画像を消去、又は補助線画像の色を変更、若しくは補助線画像の明るさを変更することを特徴とする請求項２に記載のデジタルカメラ。
【請求項４】
前記カメラ本体は警告手段を備え、前記センサによって検出された傾斜角度が前記第１の角度を超えた際に、前記制御部は、前記警告手段から警告を発生させることを特徴とする請求項１、２又は３のうちいずれか一つに記載のデジタルカメラ。
【請求項５】
前記デジタルカメラがマクロ撮影モードに切り替えられると、前記制御部は、前記センサで検出される傾斜角度にかかわらず、前記補助線画像を前記表示部に表示させないことを特徴とする請求項１、２、３又は４のうちいずれか一つに記載のデジタルカメラ。
【請求項６】
前記デジタルカメラが自分撮影モードに切り替えられると、前記制御部は、前記センサによって検出された傾斜角度が前記第１の角度を超えた際に、前記カメラ本体の正面側に設けられた警告灯を点灯制御することを特徴とする請求項１、２、３、４又は５のうちいずれか一つに記載のデジタルカメラ。
【発明の詳細な説明】
【技術分野】
【０００１】
本発明はデジタルカメラに係り、特に撮影した画像が傾かないように、被写体のスルー画像を表示する液晶モニタに、縦線又は横線の補助線画像を重ねて表示するようにしたデジタルカメラに関する。
【背景技術】
【０００２】
デジタルカメラは、撮影レンズを介して得られる被写体像を、ＣＣＤやＣＭＯＳなどの個体撮像素子によって撮像し、この被写体像のスルー画像を液晶モニタなどの電子ビューファインダに表示する。撮影者は、このスルー画像を確認しながらフレーミングを行い、撮影範囲を決めて撮影を行う。
【０００３】
しかしながら、撮影者が無意識に撮影すると、撮影者がメインの被写体のみ注意を払うことに起因して水平基準がおろそかになることや撮影者の癖によって、撮影した画像が傾いてしまうという問題が多発する。
【０００４】
そこで、特許文献１には、カメラの傾きを検出する加速度センサからの情報に基づいてカメラの傾きを検出し、これを記録媒体に記録するとともに電子ビューファインダに傾きを表示させ、更に記録された画像を傾き情報に基づいて補正するデジタルカメラが開示されている。
【０００５】
また、特許文献２には、上下方向及び左右方向にそれぞれ均等に三分割する三分割補助枠をスルー画像ととともに電子ビューファインダに表示するデジタルカメラが開示されている。このデジタルカメラによれば、フレーミング時に、三分割補助枠を電子ビューファインダに表示させ、三分割補助枠の補助線に、被写体の垂直部分や水平部分が重なるようにカメラを構えることにより、傾きのない画像を得ることができる。
【特許文献１】特開２００４−３４３４７６号公報
【特許文献２】特開２０００−２７０３０２号公報
【発明の開示】
【発明が解決しようとする課題】
【０００６】
しかしながら、特許文献１のデジタルカメラは、記録された画像を傾き情報に基づいて補正する機能を有しているので、カメラが非常に高価なものになるという欠点があった。
【０００７】
これに対して特許文献２のデジタルカメラは、三分割補助線を電子ビューファインダに表示させるだけの構造なので構造が簡単なものになるが、三分割補助線が電子ビューファインダに常時表示されているため、撮影者にとって目障りになるという欠点があった。
【０００８】
本発明は、このような事情に鑑みてなされたもので、傾斜撮影を防止する上で撮影者にとって使い勝手のよいデジタルカメラを提供することを目的とする。
【課題を解決するための手段】
【０００９】
請求項１に記載の発明は、前記目的を達成するために、被写体のフレーミング用に取り込まれたスルー画像を表示する表示部と、水平方向、又は鉛直方向に対するカメラ本体の傾斜角度を検出するセンサと、前記センサによって検出された傾斜角度が第１の角度を超えた際に、前記表示部に縦線、及び／又は横線からなる補助線画像を被写体像とともに表示させる制御部と、を前記カメラ本体に備えたことを特徴とする。
【００１０】
請求項１に記載の発明によれば、センサによって検出されたカメラ本体の傾斜角度が第１の角度を超えると、制御部が表示部に縦線、及び／又は横線からなる補助線画像を被写体像とともに表示させる。これにより、撮影者は、スルー画像に表示されている水平線、又は鉛直線を、補助線画像に合わせたり、補助線画像に対して平行になるように合わせたりして撮像することにより、傾きのない被写体像を得ることができる。また、本発明のデジタルカメラは、カメラ本体の傾斜角度が第１の角度を超えない限り表示部に表示されない。よって、三分割補助線が電子ビューファインダに常時表示される特許文献２のデジタルカメラと比較して、補助線画像が目障りにならないので、傾斜撮影を防止する上で撮影者にとって使い勝手がよくなる。また、第１の角度は、撮影された被写体像が傾いているか気にならない角度、例えば±１°に設定することが好ましい。
【００１１】
請求項２に記載の発明は、請求項１において、前記制御部は、前記センサによって検出された傾斜角度に基づいて、前記カメラ本体が縦撮り姿勢であるのか、又は横撮り姿勢であるのかを判断し、判断した縦撮り姿勢、又は横撮り姿勢を基準として前記表示部に前記補助線画像を表示させることを特徴とする。
【００１２】
請求項２に記載の発明によれば、制御部は、センサによって検出された傾斜角度に基づき、現在のカメラ本体の姿勢が縦撮り姿勢であるのか、横撮り姿勢であるのかを判断し、この判断した姿勢を基準として表示部に補助線画像を表示する。
【００１３】
請求項３に記載の発明は、請求項２において、前記センサは加速度センサであり、前記制御部は、前記加速度センサのＸ軸の出力値と該Ｘ軸に直交するＹ軸の出力値の大きさを比較することにより前記カメラ本体が縦撮り姿勢であるのか、又は横撮り姿勢であるのかを判断し、判断した縦撮り姿勢、又は横撮り姿勢を基準とした前記カメラ本体の傾斜角度が、前記第１の角度よりも大きい第２の角度を超えた際に、前記補助線画像を消去、又は補助線画像の色を変更、若しくは補助線画像の明るさを変更することを特徴とする。
【００１４】
請求項３に記載の発明によれば、例えば加速度センサの出力がＹ軸＞Ｘ軸の場合にはカメラ本体が横撮り姿勢であることを制御部が判断し、加速度センサの出力がＹ軸＜Ｘ軸の場合にはカメラ本体が縦撮り姿勢であることを制御部が判断する。そして、制御部は、判断した姿勢を基準としたカメラ本体の傾斜角度が、前記第１の角度よりも大きい第２の角度を超えた際に、意図的に傾けて撮影しているものと判断し、表示部に表示されていた補助線画像を消去したり、補助線画像の色を変更（薄く）したり、補助線画像の明るさを変更（暗く）したりして、撮影者に意図的な傾斜撮影であることを確認させるとともに、少なくとも意図的な傾斜撮影の際に補助線画像が目障りにならないようにする。なお、第２の角度は±１０°程度である。よって、補助線画像は±１°〜±１０°の傾斜範囲で表示部に表示されることになる。
【００１５】
請求項４に記載の発明は、請求項１、２又は３において、前記カメラ本体は警告手段を備え、前記センサによって検出された傾斜角度が前記第１の角度を超えた際に、前記制御部は、前記警告手段から警告を発生させることを特徴とする。
【００１６】
請求項４に記載の発明によれば、センサによって検出された傾斜角度が第１の角度を超えた際に、補助線画像を表示部に表示させるだけではなく、警告手段から警告を発生させて、傾斜撮影であることを撮影者に知らしめる。警告手段としては、発光部を点灯／点滅させる手段、警笛を鳴らす手段を例示できる。
【００１７】
請求項５に記載の発明は、請求項１、２、３又は４において、前記デジタルカメラがマクロ撮影モードに切り替えられると、前記制御部は、前記センサで検出される傾斜角度にかかわらず、前記補助線画像を前記表示部に表示させないことを特徴とする。
【００１８】
請求項５に記載の発明によれば、デジタルカメラをマクロモードに切り替えた場合には、カメラ本体は下向きに傾斜して構えられて被写体を撮影することが一般的であり、このマクロモードにおいては、カメラ本体が傾斜していることを問題視していないため、不要な補助線画像を表示させないようにした。
【００１９】
請求項６に記載の発明は、請求項１、２、３、４又は５において、前記デジタルカメラが自分撮影モードに切り替えられると、前記制御部は、前記センサによって検出された傾斜角度が前記第１の角度を超えた際に、前記カメラ本体の正面側に設けられた警告灯を点灯制御することを特徴とする。
【００２０】
電子ビューファインダとしての表示部はカメラ本体の背面に設けられているため、自分撮影モードに切り替えられると、表示部に表示されている自分画像や傾いた場合の補助線画像を撮影者（自分）は見ることができない。このような事情により請求項６に記載の発明は、自分撮影モードに切り替えられると、制御部は、センサによって検出された傾斜角度が第１の角度を超えた際に、カメラ本体の正面側に設けられた警告灯を点灯制御する。これにより、被写体である自分は、カメラ本体が傾斜していることを表示部の補助線画像を見ることなく確認することができる。なお、警告灯に代えて警笛を鳴らすようにしてもよい。
【発明の効果】
【００２１】
本発明のデジタルカメラによれば、センサによって検出されたカメラ本体の傾斜角度が第１の角度を超えると、制御部が表示部に縦線、及び／又は横線からなる補助線画像を被写体像とともに表示させるので、傾斜撮影を防止する上で撮影者にとって使い勝手がよくなる。
【発明を実施するための最良の形態】
【００２２】
以下、添付図面に従って本発明に係るデジタルカメラの好ましい実施の形態について説明する。
【００２３】
図１は、実施の形態のデジタルカメラ１０を正面から見た斜視図であり、図２はデジタルカメラ１０を背面から見た斜視図である。また、図３は、デジタルカメラ１０の全体構成を示したブロック図である。
【００２４】
図１、図２の如くデジタルカメラ１０のカメラ本体１２は、扁平な直方体形状に形成され、その前面の左側には前方に膨らんだグリップ部１４が形成される。また、グリップ部１４が位置するカメラ本体１２の上面には撮影ボタン１６が配置されている。この撮影ボタン１６は、グリップ部１４を把持した撮影者の右手の人指し指によって操作可能な位置に設けられている。更に、カメラ本体１２の前面の右側には、撮影レンズ１８を保持した沈胴／繰り出し式の２段式レンズ鏡胴２０が前方に突出して設けられている。更にまた、カメラ本体１２の前面の左側上部には、キセノン管を有するストロボ発光部２２が設けられるとともに、ストロボ発光部２２の近傍には、光学ファインダの対物部２４、ＬＥＤ（警告灯）２６が配置される。更に、カメラ本体１２の側面には、スピーカ（警告手段）２８が設けられている。一方、カメラ本体１２の背面には図２の如く液晶モニタ（表示部）３０、モード選択スイッチ３２、十字キー３４等の各種スイッチ、及び光学ファインダの接眼部３６がそれぞれ所定の位置に設けられている。
【００２５】
このデジタルカメラ１０は、モード選択スイッチ３２を操作することによって静止画撮影、動画撮影、連続撮影（連写）の撮影動作のうち一つの撮影動作が選択される。静止画撮影動作が選択されると、撮影ボタン１６の押圧操作によって被写体が１コマ毎撮影され、また、動画撮影動作が選択されると、撮影ボタン１６が押されている間、動画（Motion JPEG ）撮影が可能である。更に、モード選択スイッチ３２によって連続撮影動作が選択されると、撮影ボタン１６が押されている間、連写し続け、撮影ボタン１６から指を上げるまで複数コマを撮影することができる。
【００２６】
デジタルカメラ１０は、図３の如く中央処理装置（ＣＰＵ（制御部））３８によってその全体動作が統括制御されている。 ＣＰＵ３８は、所定のプログラムに従ってカメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００２７】
バス４０を介してＣＰＵ３８と接続されたＲＯＭ４２には、ＣＰＵ３８が実行するプログラム及び制御に必要な各種データ等が格納され、ＥＥＰＲＯＭ４４には、ＣＣＤ画素欠陥情報、カメラ動作に関する各種定数／情報等が格納されている。
【００２８】
また、メモリ（ＳＤＲＡＭ）４３は、プログラムの展開領域及びＣＰＵ３８の演算作業用領域として利用されるとともに、静止画及び動画の画像データや音声データの一時記憶領域として利用される。ＨＤＤ（ハードディスクドライブユニット）４５は画像データ専用の一時記憶メモリである。なお、メモリ４３とＨＤＤ４５は共用することが可能である。
【００２９】
モード選択スイッチ３２は、静止画撮影、動画撮影、連続撮影（連写）の撮影モードと再生モードとを切り替えるための操作手段である。モード選択スイッチ３２を操作して可動接片３２Ａを接点ａに接続させると、その信号がＣＰＵ３８に入力され、デジタルカメラ１０は撮影モードに設定される。また、可動接片３２Ａを接点ｂに接続させると、デジタルカメラ１０は記録済みの画像を再生する再生モードに設定される。
【００３０】
撮影ボタン１６は、撮影開始の指示を入力する操作ボタンであり、半押し時にオンになるＳ１スイッチと、全押し時にオンになるＳ２スイッチとを有する二段ストローク式のスイッチで構成されている。
【００３１】
メニュー／ＯＫキー（図２には不図示）は、液晶モニタ３０の画面上にメニューを表示させる指令を行うためのメニューボタンとしての機能と、選択内容の確定及び実行などを指令するＯＫボタンとしての機能とを兼備した操作キーである。十字キー３４は、上下左右の４方向の指示を入力する操作部であり、メニュー画面から項目を選択したり、各メニューから各種設定項目の選択を指示したりするボタンとして機能する。この十字キー３４によって静止画撮影、動画撮影、連続撮影（連写）のうち一つの撮影動作が選択され、メニュー／ＯＫキーの押圧操作により選択した撮影動作が確定される。キャンセルキー（図２には不図示）は、選択項目など所望の対象の消去や指示内容の取消し、あるいは一つ前の操作状態に戻らせる時などに使用される。
【００３２】
液晶モニタ３０は、ユーザーインターフェース用表示画面としても利用され、必要に応じてメニュー情報や選択項目、設定内容などの情報が表示される。この液晶モニタ３０は液晶ディスプレイであるが、これに代えて、有機ＥＬなど他の方式の表示装置を用いることも可能である。
【００３３】
デジタルカメラ１０は、メディアソケット４６を有し、メディアソケット４６には記録メディア４８を装着することができる。記録メディア４８の形態は特に限定されず、スマートメディア（商標）に代表される半導体メモリカード、可搬型小型ハードディスク、磁気ディスク、光ディスク、光磁気ディスクなど、種々の媒体を用いることができる。
【００３４】
メディアコントローラ５０は、メディアソケット４６に装着される記録メディア４８に適した入出力信号の受渡しを行うために所要の信号変換を行う。
【００３５】
また、デジタルカメラ１０は、パソコンその他の外部機器と接続するための通信手段としてＵＳＢインターフェース部５２を備えている。ＵＳＢケーブルを用いてデジタルカメラ１０と外部機器を接続することにより、外部機器との間でデータの受渡しが可能となる。もちろん、通信方式はＵＳＢに限らず、その他の通信方式を適用してもよい。
【００３６】
次に、デジタルカメラ１０の撮影機能について説明する。
【００３７】
モード選択スイッチ３２によって撮影モードが選択されると、カラーＣＣＤ固体撮像素子（以下ＣＣＤと記載）５４を含む撮像部に電源が供給され、静止画、動画、又は連続撮影が可能な状態になる。この後、十字キー３４によって静止画撮影、動画撮影、連続撮影（連写）のうち一つの撮影動作を選択し、メニュー／ＯＫキーを押圧操作することにより選択した撮影動作を確定する。
【００３８】
レンズ鏡胴２０は、フォーカスレンズを含む撮影レンズ１８と絞り兼用メカシャッター５６とを含む光学ユニットである。レンズ鏡胴２０は、ＣＰＵ３８によって制御されるレンズ駆動部５８と絞り駆動部６０とによって電動駆動され、ズーム制御、フォーカス制御及びアイリス制御が行われる。
【００３９】
撮影レンズ１８を通過した光は、ＣＣＤ５４の受光面に結像される。ＣＣＤ５４の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造で配置されている。また、ＣＣＤ５４は、各フォトダイオードの電荷蓄積時間（シャッタースピード）を制御する電子シャッター機能を有している。ＣＰＵ３８は、タイミングジェネレータ６２を介してＣＣＤ５４での電荷蓄積時間を制御する。なお、ＣＣＤ５４に代えてＭＯＳ型など他の方式の撮像素子を用いてもよい。
【００４０】
ＣＣＤ５４の受光面に結像された被写体像は、各フォトダイオードによって入射光量に応じた量の信号電荷に変換される。各フォトダイオードに蓄積された信号電荷は、ＣＰＵ３８の指令に従いタイミングジェネレータ６２から与えられる駆動パルスに基づいて信号電荷に応じた電圧信号（画像信号）として順次読み出される。
【００４１】
ＣＣＤ５４から出力された信号はアナログ処理部（ＣＤＳ／ＡＭＰ）６４に送られ、ここで画素毎のＲ、Ｇ、Ｂ信号がサンプリングホールド（相関二重サンプリング処理）され、増幅された後、Ａ／Ｄ変換器６６に加えられる。Ａ／Ｄ変換器６６によってデジタル信号に変換された点順次のＲ、Ｇ、Ｂ信号は、画像入力コントローラ６８を介してメモリ４３に記憶される。
【００４２】
画像信号処理回路７０は、メモリ４３に記憶されたＲ、Ｇ、Ｂ信号をＣＰＵ３８の指令に従って処理する。すなわち、画像信号処理回路７０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ３８からのコマンドに従ってメモリ３８を活用しながら所定の信号処理を行う。
【００４３】
画像信号処理回路７０に入力されたＲＧＢの画像データは、画像信号処理回路７０において輝度信号及び色差信号に変換されるとともに、ガンマ補正等の所定の処理が施される。画像信号処理回路７０で処理された画像データはＨＤＤ４５に記録される。
【００４４】
撮影画像を液晶モニタ３０にモニタ出力する場合、ＨＤＤ４５から画像データが読み出され、バス４０を介してビデオエンコーダ７２に送られる。ビデオエンコーダ７２は、入力された画像データを表示用の所定方式の信号（例えば、ＮＴＳＣ方式のカラー複合映像信号）に変換して液晶モニタ３０に出力する。
【００４５】
撮影ボタン１６が半押しされ、Ｓ１がオンになると、デジタルカメラ１０はＡＥ及びＡＦ処理を開始する。すなわち、ＣＣＤ５４から出力された画像信号はＡ／Ｄ変換後に画像入力コントローラ６８を介してＡＦ検出回路７４並びにＡＥ／ＡＷＢ検出回路７６に入力される。
【００４６】
ＡＥ／ＡＷＢ検出回路７６は、１画面を複数のエリア（例えば、１６×１６）に分割し、分割エリアごとにＲＧＢ信号を積算する回路を含み、その積算値をＣＰＵ３８に提供する。ＣＰＵ３８は、ＡＥ／ＡＷＢ検出回路７６から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ３８はＣＣＤ５４の電子シャッター及びアイリスを制御して適正な露光量を得る。
【００４７】
また、ＡＥ／ＡＷＢ検出回路７６は、自動ホワイトバランス調整時には、分割エリアごとにＲＧＢ信号の色別の平均積算値を算出し、その算出結果をＣＰＵ３８に提供する。ＣＰＵ３８は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１になるように、ホワイトバランス調整回路のＲ、Ｇ、Ｂ信号に対するゲイン値（ホワイトバランス補正値）を制御し、各色チャンネルの信号に補正をかける。前述した各比の値を１以外の値になるようにホワイトバランス調整回路のゲイン値を調整すると、ある色味が残った画像を生成することができる。
【００４８】
デジタルカメラ１０におけるＡＦ制御は、例えば映像信号のＧ信号の高周波成分が極大になるようにフォーカシングレンズ（撮影レンズ１８を構成するレンズ光学系のうちフォーカス調整に寄与する移動レンズ）を移動させるコントラストＡＦが適用される。すなわち、ＡＦ検出回路７４は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００４９】
ＡＦ検出回路７４で求めた積算値のデータはＣＰＵ３８に通知される。ＣＰＵ３８は、レンズ駆動部５８を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部５８を制御する。なお、ＡＦ評価値の演算はＧ信号を利用する態様に限らず、輝度信号（Ｙ信号）を利用してもよい。
【００５０】
撮影ボタン１６が半押しされ、Ｓ１オンによってＡＥ／ＡＦ処理が行われ、撮影ボタン１６が全押しされ、Ｓ２オンによって記録用の撮影動作がスタートする。Ｓ２オンに応動して取得された画像データは画像信号処理回路７０において輝度／色差信号（Ｙ／Ｃ信号）に変換され、ガンマ補正等の所定の処理が施された後、メモリ４３に格納される。
【００５１】
メモリ４３に格納されたＹ／Ｃ信号は、圧縮伸張回路７８によって所定のフォーマットに従って圧縮された後、メディアコントローラ５０を介して記録メディア４８に記録される。例えば、画像についてはＪＰＥＧ形式で記録される。
【００５２】
モード選択スイッチ３２により再生モードが選択されると、記録メディア４８に記録されている最終の画像ファイル（最後に記録されたファイル）の圧縮データが読み出される。最後の記録に係るファイルが静止画ファイルの場合、この読み出された画像圧縮データは、圧縮伸張回路７８を介して非圧縮のＹＣ信号に伸張され、画像信号処理回路７０及びビデオエンコーダ７２を介して表示用の信号に変換された後、液晶モニタ３０に出力される。これにより、当該ファイルの画像内容が液晶モニタ３０の画面上に表示される。
【００５３】
静止画の一コマ再生中（動画の先頭フレーム再生中も含む）に、十字キーの右キー又は左キーを操作することによって、再生対象のファイルを切り替えること（順コマ送り／逆コマ送り）ができる。コマ送りされた位置の画像ファイルが記録メディア４８から読み出され、上記と同様にして静止画像や動画が液晶モニタ３０に再生表示される。なお、デジタルカメラ１０は、電源回路８０を介して供給される電池８２の電力によって駆動される。            
【００５４】
一方、ＣＰＵ３８にバス４０を介して接続されている補助線表示部８４には、ＲＯＭ８６が内蔵され、このＲＯＭ８６には、液晶モニタ３０に表示される図４（Ｂ）の２本の縦線８８、８８及び２本の横線９０、９０からなる補助線画像を表す補助線画像データが記憶されている。この補助線表示部８４は、補助線画像データと、スルー画として取得されメモリ４３に記憶されたスルー画像データとを合成した合成画像データを生成して液晶モニタ３０に表示させる。これにより、液晶モニタ３０には、図４（Ｂ）に示すように２本の縦線８８、８８及び２本の横線９０、９０によって縦横９分割されたスルー画像が表示される。なお、実施の形態では、２本の縦線８８、８８及び２本の横線９０、９０を表示するようにしたが、これに限定されるものではなく、１本の縦線８８のみでもよく、１本の横線９０のみでもよい。
【００５５】
ところで、このデジタルカメラ１０には、図３に示すように加速度センサ９２が内蔵されている。この加速度センサ９２は、カメラ本体１２の傾斜角度を検出して検出結果をＣＰＵ３８に出力する。加速度センサ９２は、ＣＣＤ５４の水平方向（Ｘ軸方向）及び垂直方向（Ｙ軸方向）にそれぞれ傾斜角度検出の基準軸（Ｘ軸、Ｙ軸）を有する１組のセンサによって構成される。
【００５６】
ＣＰＵ３８は、加速度センサ９２によって検出された傾斜角度の検出結果に基づいて、撮影結果の傾斜角度を液晶モニタ３０の一部に表示することができる。また、傾斜角度の表示においては、加速度センサ９２の出力信号により、図４の横長の構図による横撮り姿勢であるのか、図５の縦長の構図による縦撮り姿勢であるのかを判定する。
【００５７】
すなわち、ＣＰＵ３８は、Ｘ軸方向及びＹ軸方向に基準軸が設定された加速度センサ９２の各センサ出力信号を絶対値化して比較することにより、これら２つの各センサ出力の振幅を比較する。ここでＹ軸方向に基準軸を設定してなるセンサ出力の振幅の方が大きい（Ｙ軸＞Ｘ軸）との判定結果が得られた場合、図４の如く横撮り姿勢でフレーミングが行われていると判定する。これに対してＸ軸方向の基準軸を設定してなる各センサ出力の振幅の方が大きい（Ｙ軸＜Ｘ軸）との判定結果が得られた場合、図５の如く縦撮り姿勢でフレーミングが行われていると判定する。
【００５８】
また、ＣＰＵ３８は、加速度センサ９２によって検出された、横撮り姿勢、及び縦撮り姿勢における傾斜角度が、±１°（第１の角度）を超えた際に、液晶モニタ３０に縦線８８、８８、及び横線９０、９０からなる補助線画像を被写体像であるスルー画像とともに表示させる。
【００５９】
このような構成のデジタルカメラ１０によれば、被写体の撮影時に、カメラ本体１２を被写体に向けて構え、その時に、ＣＰＵ３８は加速度センサ９２から出力される各センサ出力の振幅を比較することにより、カメラ本体１２が横撮り姿勢であるのか、縦撮り姿勢であるのかを判断する。そして、ＣＰＵ３８は、横撮りの姿勢であると判断した場合において、加速度センサ９２よって検出された、その姿勢でのカメラ本体１２の傾斜角度が水平軸に対し±１°を超えると図４（Ｂ）の如く、液晶モニタ３０に縦線８８、８８、及び横線９０、９０からなる補助線画像を被写体像とともに表示させる。
【００６０】
これにより、撮影者は、スルー画像に表示されている地平線（水平線）９４、又は建物の垂直壁面（鉛直線）９６を、縦線８８、８８、及び横線９０、９０に合わせたり、縦線８８、８８、及び横線９０、９０に対して平行になるように合わせたりすることにより、図４（Ａ）の如く液晶モニタ３０には縦線８８、８８、及び横線９０、９０が消えた、傾きのない被写体が表示されるので、この時に、撮影ボタン１６をレリーズすることにより、傾きのない被写体像を得ることができる。
【００６１】
また、ＣＰＵ３８が、縦撮りの姿勢であると判断した場合において、加速度センサ９２よって検出された、その姿勢でのカメラ本体１２の傾斜角度が鉛直軸に対し±１°を超えると図５（Ｂ）の如く、液晶モニタ３０に縦（横）線８８、８８、及び横（縦）線９０、９０からなる補助線画像を被写体像とともに表示させる。
【００６２】
これにより、撮影者は、スルー画像に表示されている地平線（水平線）９４、又は建物の垂直壁面（鉛直線）９６を、縦（横）線８８、８８、及び横（縦）線９０、９０に合わせたり、縦（横）線８８、８８、及び横（縦）線９０、９０に対して平行になるように合わせたりすることにより、図５（Ａ）の如く液晶モニタ３０には縦（横）線８８、８８、及び横（縦）線９０、９０が消えた、傾きのない被写体が表示されるので、この時に、撮影ボタン１６をレリーズすることにより、傾きのない被写体像を得ることができる。
【００６３】
このように、実施の形態のデジタルカメラ１０は、カメラ本体１２の傾斜角度が±１°を超えると補助線画像が液晶モニタ３０に表示されるが、カメラ本体１２の傾斜角度が±１°を超えない限り液晶モニタ３０に表示されない。よって、三分割補助線が電子ビューファインダに常時表示される特許文献２のデジタルカメラと比較して、補助線画像が目障りにならないので、傾斜撮影を防止する上で撮影者にとって使い勝手がよくなる。
【００６４】
また、第１の角度である±１°は、撮影された被写体像が傾いているか気にならない角度である。よって、補助線画像は、撮影された被写体が傾いていると気になる角度以上に傾いた時に、液晶モニタ３０に表示されるので便利である。
【００６５】
ところで、ＣＰＵ３８は、判断したカメラ本体１２の姿勢を基準としたカメラ本体１２の傾斜角度が、±１°よりも大きい±１０°（第２の角度）を超えた際に、意図的にカメラ本体１２を傾けて撮影しているものと判断し、液晶モニタ３０に表示されていた補助線画像を消去する。これにより、撮影者に意図的な傾斜撮影であることを確認させることができ、意図的な傾斜撮影の際に補助線画像が目障りになることはない。
【００６６】
なお、補助線画像を消去するとしたが、補助線画像の色を変更したり、補助線画像の明るさを変更したりしてもよい。例えば、図３のＲＯＭ８６には、表示色の異なる２種類の補助線画像データが記憶されている。一方は、液晶モニタ３０に黒い色の補助線を表示させるものであり、他方は、液晶モニタ３０に白い色の補助線を表示させるものである。そして、カメラ本体１２の傾斜角度が±１°以上±１０°未満の場合には黒い色の補助線を表示させ、±１０°を超えると、黒い色よりも目立たない白い色の補助線を表示させればよい。
【００６７】
また、ＣＰＵ３８は、加速度センサ９２によって検出された傾斜角度が前記±１°を超えた際に、スピーカ２８からアラームを発生させる。これにより、撮影者は、カメラ本体１２が撮影に支障をきたす角度以上に傾斜したことを音によっても確認できる。
【００６８】
更にまた、撮影者がマクロモードボタン９８を押すことによりデジタルカメラ１０がマクロ撮影モードに切り替えられると、ＣＰＵ３８は、加速度センサ９２によって検出される傾斜角度にかかわらず、前記補助線画像を液晶モニタ３０に表示させないように制御する。
【００６９】
すなわち、デジタルカメラ１０をマクロモードに切り替えた場合には、カメラ本体１２は下向きに傾斜して構えられて被写体を撮影することが一般的であり、このマクロモードにおいては、カメラ本体１２が傾斜していることを問題視していないため、不要な補助線画像を表示させない方がよいからである。
【００７０】
また、撮影者が自分撮影モードボタン１００を押すことによりデジタルカメラ１０が自分撮影モードに切り替えられると、ＣＰＵ３８は、加速度センサ９２によって検出された傾斜角度が±１°を超えた際に、カメラ本体１２の正面側に設けられたＬＥＤ２６を点灯制御する。
【００７１】
電子ビューファインダとしての液晶モニタ３０はカメラ本体１２の背面に設けられているため、自分撮影モードに切り替えられると、液晶モニタ３０に表示されている自分画像や傾いた場合の補助線画像を見ることができない。このような事情により、自分撮影モードに切り替えられると、ＣＰＵ３８は、加速度センサ９２によって検出された傾斜角度が±１°を超えた際に、カメラ本体１２の正面側に設けられたＬＥＤ２６を点灯制御するので、被写体である自分は、カメラ本体１２が傾斜していることを液晶モニタ３０の補助線画像を見ることなく確認することができる。なお、ＬＥＤ２８の点灯に代えてスピーカ２８から警笛を鳴らすようにしてもよい。
【図面の簡単な説明】
【００７２】
【図１】実施の形態のデジタルカメラを正面から見た斜視図
【図２】図１に示したデジタルカメラを背面から見た斜視図
【図３】図１に示したデジタルカメラの全体構成を示したブロック図
【図４】横撮り撮影時の姿勢を示したデジタルカメラの背面図
【図５】縦撮り撮影時の姿勢を示したデジタルカメラの背面図
【符号の説明】
【００７３】
１０…デジタルカメラ、１２…カメラ本体、１８…撮影レンズ、２０…レンズ鏡胴、２６…ＬＥＤ（警告灯）、２８…スピーカ（警告手段）、３０…液晶モニタ（表示部）、３８…中央処理装置（ＣＰＵ（制御部））、５４…ＣＣＤ、８４…補助線表示部、８８…縦線、９０…横線、９２…加速度センサ、９８…マクロモードボタン、１００…自分撮影モードボタン
【図１】
2008028728.tif 000003
【図２】
2008028728.tif 000004
【図３】
2008028728.tif 000005
【図４】
2008028728.tif 000006
【図５】
2008028728.tif 000007